(57)【特許請求の範囲】
【請求項１】
掘削機によって杭孔を掘削しながら、前記掘削機に作用する地盤からの抵抗に対応する指標を測定する指標測定工程と、
前記指標測定工程にて測定された前記指標に基づいてチャートを作成するチャート作成工程と、
前記杭孔が支持層に到達したと判定した後に前記チャート作成工程にて作成された前記チャートを撮影して、撮影した日付情報及び時刻情報と伴に前記チャートの画像を取得する撮影工程と、
前記撮影工程にて得られた前記チャートの画像を、前記チャートを撮影した日に前記杭孔の施工管理者へ送付する画像送付工程と、
前記指標測定工程によって測定された指標を記録装置に格納する記録工程と、
前記記録装置に格納された指標と前記撮影工程にて得られた前記チャートの画像に表された指標を比較し、前記記録装置に格納された指標と前記撮影工程にて得られた前記チャートの画像に表された指標が一致するか否かを判定するチャート判定工程とを備え、
前記指標測定工程にて測定された前記指標は、前記チャート作成工程及び前記記録工程に並列に供され、
前記画像送付工程において、前記チャートの画像とともに、前記チャート判定工程の判定結果を前記杭孔の施工管理者に送る
ことを特徴とする杭孔掘削の施工管理方法。
【請求項２】
前記画像送付工程は、
前記チャートの画像に含まれる日付情報と送付する日付情報が一致するか否かを判定する日付判定工程と、
前記日付判定工程にて一致すると判定された場合に、前記チャートの画像を送信する送信工程と
を備えることを特徴とする請求項１に記載の杭孔掘削の施工管理方法。
【請求項３】
前記記録装置に格納された前記指標を、前記杭孔の掘削現場とは別の場所に設置されたサーバに向けて送信する送信工程と、
前記指標を前記サーバに格納する指標保存工程と
を更に備える
ことを特徴とする請求項１又は２に記載の杭孔掘削の施工管理方法。
【請求項４】
前記記録工程おいて、前記指標測定工程によって測定された指標を前記記録装置に読み出し可能で且つ書き換えは不可に格納する
ことを特徴とする請求項１乃至３の何れか一項に記載の杭孔掘削の施工管理方法。
【発明の詳細な説明】
【技術分野】
【０００１】
本開示は杭孔掘削の施工管理方法に関する。
【背景技術】
【０００２】
杭孔の掘削が支持層に到達したか否かの判断は、掘削機の駆動音や回転トルクとともに掘削機の電動モータの電流値に基づいて行われている（例えば特許文献１参照）。
具体的には、杭孔の掘削現場では、杭孔が支持層に到達したか否かを確認するために、掘削機の電動モータの電流値等が測定され、施工管理装置（コンピュータ）やペンレコーダを使用して測定結果のチャートが作成される。杭孔の掘削作業の担当者はチャートを目視することにより、掘削中の杭孔が支持層に到達したか否かを確認することができる。
【先行技術文献】
【特許文献】
【０００３】
【特許文献１】特許４９５８０２８号公報
【発明の概要】
【発明が解決しようとする課題】
【０００４】
一般的に、チャートは全ての杭孔についてまとめられて杭基礎の施工後暫くしてから、例えば数週間後に、杭基礎の施工管理者にまとめて送付される。このため、杭基礎の施工管理者は、チャートを入手可能ではあるが、迅速には入手できなかった。したがって、掘削作業の担当者を監督すべき施工管理者は、杭孔掘削の施工現場に居なければ、直ぐにチャートを確認することはできない。これにより、掘削作業に不具合が生じても対応策を直ちに実施することができないという問題があった。
【０００５】
上述の事情に鑑みて、本発明の少なくとも一実施形態の目的は、杭基礎の施工管理者が、杭孔が支持層に到達したか否かを確実且つ迅速に把握することが可能である、杭孔掘削の施工管理方法を提供することにある。
【課題を解決するための手段】
【０００６】
（１）本発明の少なくとも一実施形態に係る杭孔掘削の施工管理方法は、
掘削機によって杭孔を掘削しながら、前記掘削機に作用する地盤からの抵抗に対応する指標を測定する指標測定工程と、
前記指標測定工程にて測定された前記指標に基づいてチャートを作成するチャート作成工程と、
前記杭孔が支持層に到達したと判定した後に前記チャート作成工程にて作成された前記チャートを撮影して、撮影した日付情報及び時刻情報と伴に前記チャートの画像を取得する撮影工程と、
前記撮影工程にて得られた前記チャートの画像を、前記杭孔の掘削が完了した日に前記杭基礎の施工管理者へ送付する画像送付工程とを備える。
【０００７】
上記構成（１）によれば、杭孔を掘削した日に杭基礎の施工管理者へチャートの画像が送られる。このため、杭基礎の施工管理者は、杭孔が支持層に到達したか否かを確実且つ迅速に把握することができる。
また、施工管理者がチャートの画像を見て、支持層に到達していないおそれがあると判断した場合には、直ちに対応策を検討することができる。特に杭孔を掘削した当日中であれば多様な対応策を検討することが可能となる。そして、対応策を速やかに実施することで設計通りの杭孔を構築することができることとなる。したがって、施工の出来を迅速に把握できることにより施工の品質を確保することができる。
また、チャートの画像には撮影した日付情報が含まれているため、施工管理者は送られた画像が、杭孔を掘削した当日中の画像か否かを容易に確認することができる。さらに、時刻情報も含まれているため、同一日に掘削した他の杭孔の情報と混合していないか否かを容易に確認することができる。
【０００８】
（２）幾つかの実施形態では、上記構成（１）において、
前記画像送付工程は、
前記チャートの画像に含まれる日付情報と送付する日付情報が一致するか否かを判定する日付判定工程と、
前記日付判定工程にて一致すると判定された場合に、前記チャートの画像を送信する送信工程とを備える。
上記構成（２）によれば、日付判定工程にて一致すると判定された画像のみが送信されるため、他の日に掘削した他の杭孔のチャートの画像を送信するような間違いを確実に防止することができる。
また、施工管理者は送られた画像が、杭孔を掘削した当日中の画像か否かを確認する手間を省くことができる。
【０００９】
（３）幾つかの実施形態では、上記構成（１）又は（２）において、
杭孔の施工管理方法は、
前記指標測定工程によって測定された指標を記録装置に格納する記録工程と、
前記記録装置に格納された指標と前記撮影工程にて得られた前記チャートの画像を比較し、前記記録装置に格納された指標と前記撮影工程にて得られた前記チャートの画像が一致するか否かを判定するチャート判定工程と
を更に備え、
前記画像送付工程において、前記チャートの画像とともに、前記判定工程の判定結果を前記杭基礎の施工管理者に送る。
【００１０】
上記構成（３）によれば、チャートの画像とともに判定結果が送られてくるので、杭基礎の施工管理者は、送られてきた画像中のチャートが真正なものであるか否かを確認した上で、杭孔が支持層に到達したか否かを容易に把握することができる。
【００１１】
（４）幾つかの実施形態では、上記構成（３）において、
杭孔の施工管理方法は、
前記記録装置に格納された前記指標を、前記杭孔の掘削現場とは別の場所に設置されたサーバに向けて送信する送信工程と、
前記指標を前記サーバに格納する指標保存工程と
を更に備える。
上記構成（４）によれば、必要に応じていつでも、杭孔が支持層に到達したか否かをサーバに格納された指標に基づいて確認することができる。
【発明の効果】
【００１２】
本発明の少なくとも一実施形態によれば、杭基礎の施工管理者が、杭孔が支持層に到達したか否かを確実且つ迅速に把握することが可能である、杭孔掘削の施工管理方法が提供される。
【図面の簡単な説明】
【００１３】
【図１】本発明の一実施形態に係る杭孔掘削の施工管理方法の概略的な手順を示すフローチャートである。
【図２】図１中の工程を説明するための図である。
【図３】図１中の工程を説明するための図である。
【図４】画像送付工程の詳細な内容を示すフローチャートである。
【図５】本発明の他の一実施形態に係る杭孔掘削の施工管理方法の概略的な手順を示すフローチャートである。
【図６】本発明の他の一実施形態に係る杭孔掘削の施工管理方法の概略的な手順を示すフローチャートである。
【図７】図６中の工程を説明するための図である。
【発明を実施するための形態】
【００１４】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００１５】
図１は、本発明の一実施形態に係る杭孔掘削の施工管理方法の概略的な手順を示すフローチャートである。図２及び図３は、図１中の工程を説明するための図である。
図１に示したように、杭孔掘削の施工管理方法は、指標測定工程Ｓ１、チャート作成工程Ｓ２、撮影工程Ｓ３、及び、画像送付工程Ｓ４を有している。
【００１６】
指標測定工程Ｓ１では、図２に示したように、掘削機２によって杭孔４を掘削しながら、掘削機２に作用する地盤からの抵抗に対応する指標を測定する。なお、指標は、地盤の抵抗に応じて変化するものであり、指標に基づいて地盤の抵抗を求めることができるものである。
チャート作成工程Ｓ２では、図３に示したように、指標測定工程Ｓ１にて測定された指標に基づいてチャート６を作成する。例えば、チャート６の一方の軸（縦軸）は杭孔４の深度又は掘削時間であり、チャート６の他方の軸（横軸）は指標の大きさである。
【００１７】
撮影工程Ｓ３では、図３に示したように、撮影装置８を用いて、チャート作成工程Ｓ２にて作成されたチャート６を撮影してチャート６の画像９を取得する。
画像９には、撮影した日付情報及び時刻情報が含まれている。この日付情報及び時刻情報を画像９に表示してもよい。
撮影装置８としては、例えば、スチルカメラ、ビデオカメラ、携帯電話、スマートフォン、又は、タブレット型ＰＣ（パーソナルコンピュータ）等を用いることができる。
チャート６の画像９は静止画に限定されることはなく、動画であってもよい。また、チャート６の画像は、動画の一部を抜き出した静止画であってもよい。
静止画の場合、杭孔４の掘削担当者は、杭孔４が所望の支持層に到達したと判定したら直ちにチャート６を撮影する。杭孔４が所望の支持層に到達したと判定したら直ちにチャート６を撮影するため、チャート６の形状を加工することを防止できる。なお、動画の場合にも同様の効果を得ることができる。
撮影装置８の操作は、例えば、杭孔４の掘削担当者が行うが、他の者が行っても良い。
【００１８】
画像送付工程Ｓ４では、図３に示したように、チャート６の画像９を、杭孔４の掘削が完了した日に杭孔４の施工管理者に送付する。詳細には画像送付工程Ｓ４は、図４に示したように日付判定工程Ｓ４１と、送信工程Ｓ４２とを含む。
チャート６の画像９を送信するために、例えば送信ボタンを押すと日付判定工程Ｓ４１を実施する。日付判定工程Ｓ４１は、チャート６の画像９に含まれる日付情報と送付する当日の日付情報が一致するか否かを判定する。
判定は例えば、携帯電話、スマートフォン、タブレット型ＰＣ等の撮影装置８に備えられているアプリケーションにて行う。
送信工程Ｓ４２は、日付判定工程Ｓ４１にて一致すると判定された場合に、続いてチャート６の画像９を送信する。
チャート６の画像９は、インターネット１０等の通信網を介して、杭孔４の施工管理者が使用する情報端末１１に送信される。情報端末１１としては、例えば、携帯電話、スマートフォン、タブレット型ＰＣ又は卓上型ＰＣ等を用いることができる。
一方、日付が一致しないと判定された場合には、エラーメッセージが表示されて、画像９は送信されない。
杭孔４の施工管理者とは、一般的に杭孔４の掘削作業の担当者が下請け業者である場合、下請け業者に掘削を発注した元請け業者である。
【００１９】
なお、画像９を情報端末１１に送信するために、撮影装置８は通信機能を有しているのが好ましいが、撮影装置８とは別に、画像９を送信するための通信装置を用意してもよい。
また、画像９を送信するための操作は、例えば、杭孔４の掘削担当者によって行われるが、他の者によって行われてもよい。
【００２０】
撮影装置８は、撮影した当日中に画像９を未送信の場合に、予め設定された時間間隔で未送信状態であることを定期的に表示又は発音する警報手段（図示しない）を備えている。
【００２１】
上記構成によれば、杭孔４の掘削が完了した日に、杭孔４の施工管理者に、指標のチャート６の画像９が送られる。このため、杭孔４の施工管理者は、杭孔４が、図２に示した非支持層（軟弱層）１２を貫通して非支持層１２よりも強固な支持層１４に到達したか否かを確実且つ迅速に把握することができる。
また、施工管理者がチャート６の画像９を見て、支持層１４に到達していないおそれがあると判断した場合には、直ちに対応策を検討することができる。特に杭孔４を掘削した当日中であれば多様な対応策を検討することが可能となる。そして、対応策を速やかに実施することで設計通りの杭孔を構築することができることとなる。したがって、施工の出来を迅速に把握できることにより施工の品質を確保することができる。
そして、チャート６の画像９には撮影した日付情報が含まれているため、施工管理者は送られた画像９が、杭孔４を掘削した当日中の画像９か否かを容易に確認することができる。さらに、日付判定工程Ｓ４１にて、一致すると判定された画像９のみが送信されるため、他の日に掘削した他の杭孔の画像を送信するような間違いを確実に防止することができる。
また、画像９には時刻情報も含まれているため、同一日に掘削した他の杭孔の情報と混合していないか否かを容易に確認することができる。
【００２２】
幾つかの実施形態では、抵抗に対応する指標は、掘削機２の電動モータの電流値である。
上記構成によれば、指標として掘削機２の電動モータの電流値を測定するので、指標を容易に測定することができる。
この場合、例えば図２に示したように、掘削機２に電流計１５が取り付けられる。
なお、掘削機２がアクチュエータとして油圧モータを有している場合、抵抗に対応する指標として油圧を測定してもよい。
【００２３】
幾つかの実施形態では、チャート作成工程Ｓ２にて、図３に示したように、コンピュータ１６を使用してのモニタ１８上へのチャート６の形成、及び、ペンレコーダを使用してのチャート紙上へのチャート６の形成のうち一方又は両方を実行する。
上記構成によれば、モニタ１８上に形成されたチャート６、及び、チャート紙上に形成されたチャート６のうち一方又は両方を撮影するので、チャート６の画像９を容易に取得することができる。
なお、この場合、電流計１５等の指標を測定するための測定器が、コンピュータ１６やペンレコーダに通信可能に接続される。コンピュータ１６やペンレコーダは、測定器から送られてきた指標に基づいてチャート６を作成可能である。なお、通信可能に接続されるとは、有線又は無線にて接続されることをいう。
【００２４】
作成されるチャート６において、一方の軸が深度である場合、深度計１９によって杭孔４の深度が測定される（図２参照）。深度計１９はコンピュータ１６に通信可能に接続され、コンピュータ１６は、深度計１９から送られてきた杭孔４の深度に基づいてチャート６を作成可能である。
あるいは、チャート６の一方の軸が時間である場合、杭孔４の掘削担当者が、深度計１９によって測定された杭孔４の深度をチャート６に書き込んでもよい。
なお、チャート６において、電流値を所定時間毎、例えば０．１ｍ毎に積分した積分電流値を他方の軸に採用してもよい。
【００２５】
図５は、本発明の他の一実施形態に係る杭孔の施工管理方法の概略的な手順を示すフローチャートである。
図５に示した杭孔の施工管理方法は、図１に示した杭孔の施工管理方法と比べたときに、記録工程Ｓ５及びチャート判定工程Ｓ６を更に備えている。
記録工程Ｓ５は、チャート作成工程Ｓ２と並行して行われ、記録工程Ｓ５では、指標測定工程Ｓ１によって測定された指標を記録装置２０に格納する。例えばこの際、指標は、指標の測定時刻、及び、必要に応じて杭孔の掘削現場を表す記号や杭孔４の数を表す記号とともに記録装置２０に格納される。なお、指標はデジタルデータとして記録装置２０に格納される。記録装置２０に格納された指標は、読み出しは可能であるが、書き換えは不可である。
記録装置２０は、例えば、電流計１５等の指標の測定器とともに、測定器と通信可能な状態で掘削機２に設置される。
【００２６】
チャート判定工程Ｓ６では、記録装置２０に格納された指標と撮影工程Ｓ３にて得られたチャート６の画像９を比較し、記録装置２０に格納された指標と撮影工程Ｓ３にて得られたチャート６の画像９が一致するか否かを判定する。当該判定は、例えば掘削作業の担当者によって行われる。
そして、図５に示した杭孔の施工管理方法では、画像送付工程Ｓ４において、チャート６の画像９とともに、チャート判定工程Ｓ６の判定結果を杭孔４の施工管理者に送る。
上記構成によれば、チャート６の画像９とともに判定結果が送られてくるので、杭孔４の施工管理者は、送られてきた画像９中のチャート６が真正なものであるか否かを確認した上で、杭孔４が支持層１４に到達したか否かを容易に把握することができる。
【００２７】
なお、チャート判定工程Ｓ６では、記録装置２０に格納された指標と撮影工程Ｓ３にて得られたチャート６の画像９が一致するか否かを判定するために、記録装置２０に格納された指標に基づいて比較用のチャートを作成してもよい。
あるいは、チャート判定工程Ｓ６において、チャート６から指標の値を読み取り、読み取った値と、記録装置２０に格納されている指標の値とを比較して、これらが一致するか否かを判定してもよい。
【００２８】
図６は、本発明の他の一実施形態に係る杭孔の施工管理方法の概略的な手順を示すフローチャートである。図７は、図６中の工程を説明するための図である。
図６に示した杭孔の施工管理方法は、図５に示した杭孔の施工管理方法と比べたときに、送信工程Ｓ７及び指標保存工程Ｓ８を更に備えている。
【００２９】
送信工程Ｓ７では、図７に示したように、記録装置２０に格納された指標を、杭孔４の掘削現場とは別の場所に設置されたサーバ２２に向けて送信する。サーバ２２は、例えば、掘削作業の担当者が所属する会社の社屋に設置される。例えば、指標は、インターネット１０を介してサーバ２２に送信される。指標をサーバ２２に送信するために、記録装置２０として、通信機能を有するものを用いてもよく、或いは、記録装置２０に通信装置を接続してもよい。送信工程Ｓ７は、好ましくは、所定の時間間隔で定期的に自動で行われる。
指標保存工程Ｓ８では、送信工程Ｓ７で送られてきた指標をサーバ２２に格納する。サーバ２２に格納された指標は、読み出しは可能であるが、書き換えは不可である。指標保存工程Ｓ８も、好ましくは、自動的に行われる。
【００３０】
上記構成によれば、必要に応じていつでも、杭孔４が支持層１４に到達したか否かをサーバ２２に格納された指標に基づいて確認することができる。
【００３１】
最後に、本発明は上述した幾つかの実施形態に限定されることはなく、上述した実施形態に変形を加えた形態や、これらの形態を適宜組み合わせた形態も含む。
【符号の説明】
【００３２】
２        掘削機
４        杭孔
６        チャート
８        撮影装置
９        画像
１０      インターネット
１１      情報端末
１２      非支持層
１４      支持層
１５      電流計
１８      モニタ
１９      深度計
２０      記録装置
２２      サーバ
Ｓ１      指標測定工程
Ｓ２      チャート作成工程
Ｓ３      撮影工程
Ｓ４      画像送付工程
Ｓ５      記録工程
Ｓ６      判定工程
Ｓ７      送信工程
Ｓ８      指標保存工程
Ｓ４１    日付判定工程
Ｓ４２    送信工程
【要約】      （修正有）【課題】杭基礎の施工管理者が、杭孔が支持層に到達したか否かを確実且つ迅速に把握することが可能である、杭孔の施工管理方法を提供する。【解決手段】杭孔の施工管理方法は、掘削機によって杭孔を掘削しながら、掘削機に作用する地盤からの抵抗に対応する指標を測定する指標測定工程Ｓ１と、指標測定工程Ｓ１にて測定された指標に基づいてチャートを作成するチャート作成工程Ｓ２と、チャート作成工程Ｓ２にて作成されたチャートを撮影してチャートの画像を取得する撮影工程Ｓ３と、撮影工程Ｓ３にて得られたチャートの画像を、杭孔の掘削が完了した日に杭基礎の施工管理者に送る画像送付工程Ｓ４とを有する。【選択図】図１【図１】
0006048860.tif 000002
【図２】
0006048860.tif 000003
【図３】
0006048860.tif 000004
【図４】
0006048860.tif 000005
【図５】
0006048860.tif 000006
【図６】
0006048860.tif 000007
【図７】
0006048860.tif 000008